(57)【特許請求の範囲】
【請求項１】
送話音声入力機器から送話音声を入力する送話音声入力端子と、
情報コード読取装置から情報コードを示す情報コードデータを入力する情報コードデータ入力端子と、
電話機本体に送信信号を出力する送信信号出力端子と、
前記情報コード読取装置から前記情報コードデータ入力端子への情報コードデータの入力を検出する情報コードデータ検出手段と、
この情報コードデータ検出手段が前記情報コード読取装置から前記情報コードデータ入力端子への情報コードデータの入力を検出していないときには、前記送話音声入力端子が前記送話音声入力機器から入力した送話音声を送信信号として前記送信信号出力端子から前記電話機本体に出力可能となるように切替制御を行い、前記情報コードデータ検出手段が前記情報コード読取装置から前記情報コードデータ入力端子への情報コードデータの入力を検出したときには、前記情報コードデータ入力端子が前記情報コード読取装置から入力した情報コードデータを送信信号として前記送信信号出力端子から前記電話機本体に出力可能となるように切替制御を行う送信側切替手段とを備えたことを特徴とするアダプタ。
【請求項２】
前記電話機本体から受信信号を入力する受信信号入力端子と、
受話音声出力機器に受話音声を出力する受話音声出力端子と、
情報コードデータにより示される情報コードを出力する情報コード出力装置に情報コードデータを出力する情報コードデータ出力端子と、
前記受信信号入力端子が入力した受信信号を検出する受信信号検出手段と、
この受信信号検出手段が検出した受信信号が受話音声に相当する信号であることを検出したときには、前記受信信号入力端子が前記電話機本体から入力した受信信号を受話音声として前記受話音声出力端子から前記受話音声出力機器に出力可能となるように切替制御を行い、前記受信信号検出手段が検出した受信信号が情報コードデータに相当する信号であることを検出したときには、前記受信信号入力端子が前記電話機本体から入力した受信信号を情報コードデータとして前記情報コードデータ出力端子から前記情報コード出力装置に出力可能となるように切替制御を行う受信側切替手段とを備えたことを特徴とする請求項１記載のアダプタ。
【請求項３】
前記情報コードデータ入力端子は、前記情報コード読取装置から情報コードデータをデジタル信号によって入力することを特徴とする請求項１または２記載のアダプタ。
【請求項４】
パーソナルコンピュータのカードスロットに挿入可能なカード形状に構成され、前記パーソナルコンピュータとの間のインタフェース機能を備えて構成されたことを特徴とする請求項１ないし３のいずれかに記載のアダプタ。
【請求項５】
請求項１ないし４のいずれかに記載のアダプタと、
情報コードを読取り、読取った情報コードを示す情報コードデータを出力する情報コード読取装置とを備えたことを特徴とする情報コードデータ通信システム。
【請求項６】
情報コードデータを入力し、入力した情報コードデータにより示される情報コードを出力する情報コード出力装置を備えたことを特徴とする請求項５記載の情報コードデータ通信システム。
【発明の詳細な説明】
【０００１】
【発明の属する技術分野】
本発明は、電話機および情報コード読取装置に接続可能に構成されたアダプタおよび前記アダプタと情報コード読取装置とを備えた情報コードデータ通信システムに関する。
【０００２】
【発明が解決しようとする課題】
従来より、例えば二次元コードなどの情報コードを読取る情報コード読取装置が有する情報コード読取機能と、電話機が有する電話機能とを併合したものとして、特開平１０−４９６１３号公報や特開平５−４１７３１号公報に開示されたものがある。
【０００３】
特開平１０−４９６１３号公報には、ＰＨＳ（Personal Handyphone System）通信機能を備えた情報コード読取装置の構成が開示されており、このものによれば、情報コードを示す情報コードデータをＰＨＳ通信によって遠方のホスト装置に送信することが可能となるので、例えば商品管理を行う上で、作業性や利便性の向上を図ることができるという利点がある。
【０００４】
また、特開平５−４１７３１号公報には、ハンドセット（送受話器）に情報コード読取部を備えた電話機の構成が開示されており、このものによれば、電話番号をキー操作によって入力することに加えて、電話番号を情報コードとして読取って入力することが可能となるので、電話番号を入力する上で、ユーザの負担を軽減できるという利点がある。
【０００５】
しかしながら、上記した従来のものにおいては、ユーザが会話をしながら情報コードデータを通話相手に送信することは不可能であり、このような点において、利便性に劣るものであった。
【０００６】
本発明は、上記した事情に鑑みてなされたものであり、その目的は、ユーザが会話をしながら情報コードデータを通話相手に送信することを可能とし、それによって、利便性の向上を図ることができるアダプタおよび情報コードデータ通信システム提供することにある。
【０００７】
【課題を解決するための手段】
請求項１記載のアダプタによれば、送信側切替手段は、情報コードデータ検出手段が情報コード読取装置から情報コードデータ入力端子への情報コードデータの入力を検出しないと、送話音声入力端子が送話音声入力機器から入力した送話音声を送信信号として送信信号出力端子から電話機本体に出力可能となるように切替え、一方、情報コードデータ検出手段が情報コード読取装置から情報コードデータ入力端子への情報コードデータの入力を検出すると、情報コードデータ入力端子が情報コード読取装置から入力した情報コードデータを送信信号として送信信号出力端子から電話機本体に出力可能となるように切替える。
【０００８】
したがって、情報コード読取装置から情報コードデータ入力端子への情報コードデータの入力が検出されないと、送話音声が送信信号として電話機本体に出力され、送話音声が電話機本体から通話相手に送信されるようになり、一方、情報コード読取装置から情報コードデータ入力端子への情報コードデータの入力が検出されると、情報コードデータが送信信号として電話機本体に出力され、情報コードデータが電話機本体から通話相手に送信されるようになり、このように、送話音声と情報コードデータとが切替えられて通話相手に送信されるようになるので、ユーザが会話をしながら情報コードデータを通話相手に送信することを可能とすることができ、これによって、利便性の向上を図ることができる。
【０００９】
請求項２記載のアダプタによれば、受信側切替手段は、受信信号検出手段が検出した受信信号が受話音声に相当する信号であることを検出すると、受信信号入力端子が電話機本体から入力した受信信号を受話音声として受話音声出力端子から受話音声出力機器に出力可能となるように切替え、一方、受信信号検出手段が検出した受信信号が情報コードデータに相当する信号であることを検出すると、受信信号入力端子が電話機本体から入力した受信信号を情報コードデータとして情報コードデータ出力端子から情報コード出力装置に出力可能となるように切替える。
【００１０】
したがって、受信信号が受話音声に相当する信号であることが検出されると、受信信号が受話音声として受話音声出力機器に出力され、受話音声が受話音声出力機器から出力されるようになり、一方、受信信号が情報コードデータに相当する信号であることが検出されると、受信信号が情報コードデータとして情報コード出力装置に出力され、情報コードデータにより示される情報コードがコード出力装置から出力されるようになり、このように、受話音声と情報コードとが切替えられて出力されるようになるので、ユーザが会話をしながら情報コードデータを通話相手に送信することを可能とするのみでなく、ユーザが会話をしながら通話相手から情報コードデータを受信し、受信された情報コードデータにより示される情報コードを出力することをも可能とすることができ、これによって、利便性の向上をさらに図ることができる。
【００１１】
請求項３記載のアダプタによれば、情報コードデータ入力端子は、情報コード読取装置から情報コードデータをデジタル信号によって入力するように構成したので、情報コードデータをアナログ信号によって入力する場合と比較すると、情報コードデータの耐ノイズ特性などを高めることができ、品質を高めることができる。
【００１２】
請求項４記載のアダプタによれば、パーソナルコンピュータのカードスロットに挿入可能なカード形状に構成され、パーソナルコンピュータとの間のインタフェース機能を備えて構成したので、情報コード出力装置がパーソナルコンピュータである場合には、カードスロットに挿入するという簡単な作業によって、情報コードがパーソナルコンピュータから出力される（例えばディスプレイに表示される）など、利便性の向上をさらに図ることができる。
【００１３】
請求項５記載の情報コードデータ通信システムによれば、上記した請求項１ないし４のいずれかに記載のアダプタと、情報コードを読取り、読取った情報コードを示す情報コードデータを出力する情報コード読取装置とを備えて構成したので、上記した請求項１に記載したものと同様にして、ユーザが会話をしながら情報コードデータを通話相手に送信することを可能とすることができる。
【００１４】
請求項６記載の情報コードデータ通信システムによれば、情報コードデータを入力し、入力した情報コードデータにより示される情報コードを出力する情報コード出力装置を備えて構成したので、上記した請求項２に記載したものと同様にして、ユーザが会話をしながら情報コードデータを通話相手に送信することを可能とするのみでなく、ユーザが会話をしながら通話相手から情報コードデータを受信し、受信された情報コードデータにより示される情報コードを出力することをも可能とすることができる。
【００１５】
【発明の実施の形態】
（第１の実施の形態）
以下、本発明の第１実施例について、図１ないし図８を参照して説明する。◎
図２は、情報コードデータ通信システムの全体の構成を概略的に示している。アダプタ１１は、一般電話機１２の電話機本体１３をケーブル１４を通じて接続し、一般電話機１２のハンドセット１５（送受話器、本発明でいう送話音声入力機器、受話音声出力機器）をケーブル１６を通じて接続し、例えばエリアセンサを内蔵するスキャナ１７（本発明でいう情報コード読取装置）をケーブル１８を通じて接続している。
【００１６】
一方、アダプタ５１は、一般電話機５２の電話機本体５３をケーブル５４を通じて接続し、一般電話機５２のハンドセット５５（送受話器）をケーブル５６を通じて接続し、例えば汎用のデスクトップ型のパーソナルコンピュータ５７（本発明でいう情報コード出力装置）をケーブル５８を通じて接続している。そして、電話機本体１３および電話機本体５３は、例えば公衆通信回線１０１を通じて通信を行うように構成されている。
【００１７】
次に、図１は、上記したアダプタ１１およびスキャナ１７の構成を機能ブロック図として示している。尚、上記したアダプタ５１は、アダプタ１１と同一の構成である。
【００１８】
アダプタ１１において、ハンドセット１５から送話音声を入力する送話音声入力端子２１は、送信側スイッチ２２（本発明でいう送信側切替手段）の一方の固定接点２２ａに接続しており、また、スキャナ１７から情報コードデータを入力する情報コードデータ入力端子２３は、送信側スイッチ２２の他方の固定接点２２ｂに接続している。そして、送信側スイッチ２２の可動接点２２ｃは、電話機本体１３に送信信号を出力する送信信号出力端子２４に接続している。この場合、固定接点２２ａと可動接点２２ｃとが接続している状態を送話音声送信状態と称し、一方、固定接点２２ｂと可動接点２２ｃとが接続している状態を情報コードデータ送信状態と称することとする。
【００１９】
また、電話機本体１３から受信信号を入力する受信信号入力端子２５は、受信側スイッチ２６（本発明でいう受信側切替手段）の可動接点２６ａに接続している。そして、受信側スイッチ２６の一方の固定接点２６ｂは、ハンドセット１５に受話音声を出力する受話音声出力端子２７に接続しており、また、他方の固定接点２６ｃは、外部に情報コードデータを出力する情報コードデータ出力端子２８にインタフェース回路２９を通じて接続している。この場合、可動接点２６ａと固定接点２６ｂとが接続している状態を受話音声出力状態と称し、一方、可動接点２６ａと固定接点２６ｃとが接続している状態を情報コードデータ出力状態と称することとする。
【００２０】
検出回路３０（本発明でいう受信信号検出手段）は、受信信号の波形を検出し、検出した結果を示す受信信号検出結果を制御回路３１に出力し、制御回路３１は、検出回路３０から入力した受信信号検出結果に基づいて上記した受信側スイッチ２６を制御する。具体的に説明すると、制御回路３１は、受信信号の波形が図３（ａ）に示すように、矩形波でない場合には、受信信号が受話音声に相当する信号であると判定し、受信側切替スイッチ２６を受話音声出力状態に切替え、一方、受信信号の波形が図３（ｂ）に示すように、規則的な矩形波である場合には、受信信号が情報コードデータに相当する信号であると判定し、受信側切替スイッチ２６を情報コードデータ出力状態に切替える。
【００２１】
また、情報コードデータが図４に示すように、プリアンブル、同期コード、エラー検出コードおよびポストアンブルと共にパケット化されることを前提とすると、制御回路３１は、プリアンブルを検出することによって、スキャナ１７からの情報コードデータの入力を検出すると、送信側切替スイッチ２２を情報コードデータ送信状態に切替える。また、制御回路３１は、入力した情報コードデータを復調処理し、復調処理した情報コードデータをデジタル信号からアナログ信号に変換し、アナログ信号に変換した情報コードデータにより示される情報コードをディスプレイ３２に表示させる。そして、電源回路３３は、電池３４から入力する入力電圧を所定の電圧レベルに変換して駆動電圧を生成し、生成した駆動電圧を各回路に出力する。
【００２２】
スキャナ１７において、制御回路３５は、スイッチ３６のオン動作に応じて起動し、センサ３７およびＡ／Ｄ変換回路３８に起動指令を出力する。センサ３７は、レンズ３９を通じて例えば二次元コード（ここでは、ＱＲコード）などの情報コードを読取り、読取った情報コードを示す情報コードデータをＡ／Ｄ変換回路３８に出力する。
【００２３】
Ａ／Ｄ変換回路３８は、センサ３７から情報コードデータを入力すると、入力した情報コードデータをアナログ信号からデジタル信号に変換し、デジタル信号に変換した情報コードデータを変調回路４０に出力する。そして、変調回路４０は、Ａ／Ｄ変換回路３８から情報コードデータを入力すると、入力した情報コードデータを変調処理し、変調処理した情報コードデータを上記したアダプタ１１に出力する。また、電源回路４１は、アダプタ１１の電源回路３３から入力する入力電圧を所定の電圧レベルに変換して駆動電圧を生成し、生成した駆動電圧を各回路に出力する。
【００２４】
次に、上記した構成の作用について、図５ないし図８も参照して説明する。まず、アダプタ１１がアダプタ５１に情報コードデータを送信する場合について、図５に示すフローチャートを参照して説明する。
【００２５】
制御回路３１は、プリアンブルを検出することによって、スキャナ１７からの情報コードデータの入力を検出する（ステップＳ１）。ここで、制御回路３１は、情報コードデータの入力を検出しなければ、ステップＳ１において「ＮＯ」と判定し、送話音声送信状態であるか否かを判定する（ステップＳ２）。そして、制御回路３１は、送話音声送信状態であれば、ステップＳ２において「ＹＥＳ」と判定し、その時点における送信状態、つまり、送話音声送信状態を保持する。一方、制御回路３１は、送話音声送信状態でなければ、つまり、情報コードデータ送信状態であれば、ステップＳ２において「ＮＯ」と判定し、送信側スイッチ２２に切替指令を出力することによって、情報コードデータ送信状態から送話音声送信状態に切替える（ステップＳ３）。
【００２６】
これに対して、制御回路３１は、情報コードデータの入力を検出すれば、ステップＳ１において「ＹＥＳ」と判定し、情報コードデータ送信状態であるか否かを判定する（ステップＳ４）。そして、制御回路３１は、情報コードデータ送信状態であれば、ステップＳ４において「ＹＥＳ」と判定し、その時点における送信状態、つまり、情報コードデータ送信状態を保持し、ポストアンブルを検出することによって、情報コードデータの入力が完了したか否かを判定する（ステップＳ５）。
【００２７】
一方、制御回路３１は、情報コードデータ送信状態でなければ、つまり、送話音声送信状態であれば、ステップＳ４において「ＮＯ」と判定し、送信側スイッチ２２に切替指令を出力することによって、送話音声送信状態から情報コードデータ送信状態に切替え（ステップＳ６）、ポストアンブルを検出することによって、情報コードデータの入力が完了したか否かを判定する（ステップＳ５）。
【００２８】
そして、制御回路３１は、ポストアンブルを検出すれば、ステップＳ５において「ＹＥＳ」と判定し、送信側スイッチ２６に切替指令を出力することによって、情報コードデータ送信状態から送話音声送信状態に切替える（ステップＳ７）。
【００２９】
このように、アダプタ１１においては、スキャナ１７からの情報コードデータの入力を検出しないと、送話音声を送信信号として電話機本体１３に出力するようになり、一方、スキャナ１７からの情報コードデータの入力を検出すると、スキャナ１７が読取った情報コードを示す情報コードデータを送信信号として電話機本体１３に出力するようになり、図６に示すように、送話音声と情報コードデータとを切替えて電話機本体１３に出力するようになる。その結果、送話音声と情報コードデータとが切替えられて通話相手に送信されるようになり、ユーザが会話をしながら情報コードデータを通話相手に送信することが可能となる。
【００３０】
さて、次に、図７に示すように、アダプタ１１が例えば汎用のデスクトップ型のパーソナルコンピュータ１９をケーブル２０を通じて接続すると共に、アダプタ５１が例えばエリアセンサを内蔵するスキャナ５９をケーブル６０を通じて接続し、アダプタ１１がアダプタ５１から情報コードデータを受信する場合について、図８に示すフローチャートを参照して説明する。この場合、アダプタ１１においては、情報コードデータ出力端子２８にパーソナルコンピュータ１９がケーブル２０を通じて接続している。
【００３１】
制御回路３１は、検出回路３０から入力した受信信号検出結果を解析し、受信信号が受話音声および情報コードデータのうちのいずれに相当する信号であるか否かを判定する（ステップＳ１１）。ここで、制御回路３１は、受信信号が受話音声に相当する信号であることを検出すれば、ステップＳ１１において「ＹＥＳ」と判定し、受話音声出力状態であるか否かを判定する（ステップＳ１２）。そして、制御回路３１は、受話音声出力状態であれば、ステップＳ１２において「ＹＥＳ」と判定し、その時点における出力状態、つまり、受話音声出力状態を保持する。一方、制御回路３１は、受話音声出力状態でなければ、つまり、情報コードデータ出力状態であれば、ステップＳ１２において「ＮＯ」と判定し、受信側スイッチ２６に切替指令を出力することによって、情報コードデータ出力状態から受話音声出力状態に切替える（ステップＳ１３）。
【００３２】
これに対して、制御回路３１は、受信信号が情報コードデータに相当する信号であることを検出すれば、ステップＳ１１において「ＮＯ」と判定し、情報コードデータ出力状態であるか否かを判定する（ステップＳ１４）。そして、制御回路３１は、情報コードデータ出力状態であれば、ステップＳ１４において「ＹＥＳ」と判定し、その時点における出力状態、つまり、情報コードデータ出力状態を保持する。一方、制御回路３１は、情報コードデータ出力状態でなければ、つまり、受話音声出力状態であれば、ステップＳ１４において「ＮＯ」と判定し、受信側スイッチ２６に切替指令を出力することによって、受話音声出力状態から情報コードデータ出力状態に切替える（ステップＳ１５）。
【００３３】
このように、アダプタ１１においては、電話機本体１３から入力した受信信号が受話音声に相当する信号であることを検出すると、受信信号を受話音声としてハンドセット１５に出力するようになり、一方、受信信号が情報コードデータに相当する信号であることを検出すると、受信信号を情報コードデータとしてパーソナルコンピュータ１９に出力するようになり、図６に示すように、受話音声と情報コードデータとを切替えて出力するようになる。その結果、受話音声と情報コードデータにより示される情報コードとが切替えられて出力されるようになり、ユーザが会話をしながら通話相手から情報コードデータを受信し、受信された情報コードデータにより示される情報コードを出力することも可能となる。
【００３４】
ところで、以上は、送話音声と情報コードデータとを切替えて出力する機能および受話音声と情報コードデータとを切替えて出力する機能の双方の機能を備えた構成を説明したものであるが、いずれか一方の機能を備える構成であっても良い。つまり、使用形態として情報コードデータを通信相手に送信するのみで良い場合には、送話音声と情報コードデータとを切替えて出力する機能のみを備える構成であれば良く、その場合には、受信側スイッチ２６を含めた受信側の構成を不要とすることができる。一方、使用形態として情報コードデータを出力するのみで良い場合には、受話音声と情報コードデータとを切替えて出力する機能のみを備える構成であれば良く、その場合には、送信側スイッチ２２を含めた送信側の構成を不要とすることができる。
【００３５】
以上に説明したように第１実施例によれば、アダプタ１１において、スキャナ１７からの情報コードデータの入力を検出しないと、送話音声が送信信号として電話機本体１３に出力され、送話音声が電話機本体１３から通話相手に送信されるように構成し、一方、スキャナ１７からの情報コードデータの入力を検出すると、スキャナ１７から入力した情報コードデータが送信信号として電話機本体１３に出力され、情報コードデータが電話機本体１３から通話相手に送信されるように構成したので、ユーザが会話をしながら情報コードデータを通話相手に送信することを可能とすることができ、これによって、利便性の向上を図ることができる。
【００３６】
また、アダプタ１１において、電話機本体１３から入力した受信信号が受話音声に相当する信号であるときには、受信信号が受話音声としてハンドセット１５に出力され、受話音声がハンドセット１５から出力されるように構成し、一方、電話機本体１３から入力した受信信号が情報コードデータに相当する信号であるときには、受信信号が情報コードデータとしてパーソナルコンピュータ１９に出力され、情報コードデータにより示される情報コードがパーソナルコンピュータ１９から出力されるように構成したので、ユーザが会話をしながら通話相手から情報コードデータを受信し、受信された情報コードデータにより示される情報コードを出力することをも可能とすることができ、これによって、利便性の向上をさらに図ることができる。
【００３７】
また、アダプタ１１において、スキャナ１７から情報コードデータをデジタル信号によって入力するように構成したので、情報コードデータをアナログ信号によって入力する場合と比較すると、情報コードデータの耐ノイズ特性などを高めることができ、品質を高めることができる。
【００３８】
また、アダプタ１１において、スキャナ１７から入力した情報コードデータにより示される情報コードがディスプレイ３２に表示されるように構成したので、通話相手に送信される情報コードデータにより示される情報コードを簡単に確認することができる。
【００３９】
（第２の実施の形態）
次に、本発明の第２実施例について、図９を参照して説明する。尚、上記した第１実施例と同一部分には同一符号を付して説明を省略し、以下、異なる部分について説明する。
上記した第１実施例では、アダプタ１１が一般電話機１２（電話機本体１３およびハンドセット１５）を接続すると共に、アダプタ５１が一般電話機５２（電話機本体５３およびハンドセット５５）を接続するように構成したものであるが、これに対して、この第２実施例では、図９に示すように、アダプタ４２が携帯電話機４３（本発明でいう電話機本体）およびイヤホンマイク４４（本発明でいう送話音声入力機器、受話音声出力機器）を接続すると共に、アダプタ８２が携帯電話機８３およびイヤホンマイク８４を接続するように構成したものである。
【００４０】
そして、この場合は、送信側として作用するアダプタ４２においては、スキャナ１７からの情報コードデータの入力を検出しないと、イヤホンマイク４４から入力した送話音声を送信信号として携帯電話機４３に出力するようになり、一方、スキャナ１７からの情報コードデータの入力を検出すると、スキャナ１７が読取った情報コードを示す情報コードデータを送信信号として携帯電話機４３に出力するようになり、その結果、送話音声と情報コードデータとが切替えられて通話相手に送信されるようになる。
【００４１】
また、受信側として作用するアダプタ８２においては、携帯電話機８３から入力した受信信号が受話音声に相当する信号であるときには、受信信号を受話音声としてイヤホンマイク８４に出力するようになり、一方、受信信号が情報コードデータに相当する信号であるときには、受信信号を情報コードデータとしてパーソナルコンピュータ５７に出力するようになり、その結果、受話音声と情報コードデータにより示される情報コードとが切替えられて出力されるようになる。
【００４２】
以上に説明したように第２実施例によれば、上記した第１実施例に記載したものと同様の作用効果を得ることができる。そして、この場合は、上記した第１実施例に記載したものと比較すると、携帯することが可能な携帯電話機４２，８２を使用することによって、使用場所の制限を小さくし、使用場所の自由度を高めることができるという利点がある。
【００４３】
（第３の実施の形態）
次に、本発明の第３実施例について、図１０を参照して説明する。尚、上記した第１実施例と同一部分には同一符号を付して説明を省略し、以下、異なる部分について説明する。
上記した第１実施例では、アダプタ１１，５１を例えば箱形状に構成したものであるが、これに対して、この第３実施例では、図８に示すように、受信側のアダプタ８５をノート型のパーソナルコンピュータ８６（本発明でいう情報コード出力装置）のカードスロット８７に挿入可能なカード形状に構成し、パーソナルコンピュータ８６との間のインタフェース機能を備えて構成したものである。この場合、パーソナルコンピュータ８６との間のインタフェースとしては、ＰＣＭＣＩＡ（Personal Computer Memory International Association）規格、ＰＣＩ（Peripheral Components Interconnect）規格、ＩＳＡ（Industrial Standard Architecture）規格などである。
【００４４】
以上に説明したように第３実施例によれば、上記した第１実施例に記載したものと同様の作用効果を得ることができる。そして、この場合は、パーソナルコンピュータ８６のカードスロット８７に挿入可能なカード形状に構成し、パーソナルコンピュータ８６との間のインタフェース機能を備えて構成したので、アダプタ８５をカードスロット８７に挿入するという簡単な作業によって、情報コードがパーソナルコンピュータ８６のディスプレイに表示されるなど、利便性の向上をさらに図ることができる。
【００４５】
（その他の実施の形態）
本発明は、上記した実施例にのみ限定されるものでなく、次のように変形または拡張することができる。
情報コードは、ＱＲコードに限らず、他の二次元コードであっても良く、また、バーコードであっても良い。
【００４６】
スキャナは、手動操作型のもの或いはフラットヘッド型のものであっても良く、また、デジタルカメラで代用しても良い。
送信側スイッチおよび受信側スイッチは、有接点スイッチに限らず、無接点スイッチであっても良い。
受信側スイッチに代えて、アッテネータを配設し、受信信号が情報コードデータに相当する信号である場合には、ハンドセットから出力される受話音声のレベルを減衰するように構成しても良い。
【００４７】
アダプタにおいて、ディスプレイが省略される構成であっても良い。
アダプタにおいて、情報コードデータをデコード（解読）し、デコードした情報コードデータ（文字データ）を送信信号として送信する構成であっても良い。
スキャナにおいて、Ａ／Ｄ変換回路が省略される構成であっても良く、アダプタにおいて、スキャナから入力した情報コードデータをアナログ信号からデジタル信号に変換するＡ／Ｄ変換回路を配設する構成であっても良い。
【００４８】
データコードをパケット化するパケット形式は、他の形式であっても良い。
第１実施例で説明した一般電話機に接続するアダプタと、第２実施例で説明した携帯電話機に接続するアダプタとが混在したシステムであっても良く、また、第１実施例および第２実施例で説明した箱形状のアダプタと、第３実施例で説明したカード形状のアダプタとが混在するシステムであっても良い。
【図面の簡単な説明】
【図１】本発明の第１実施例を示す機能ブロック図
【図２】情報コードデータ通信システムの全体の構成を概略的に示す図
【図３】受信信号の波形を概略的に示す図
【図４】情報コードデータがパケット化された状態を示す図
【図５】情報コードデータを送信する場合の制御内容を示すフローチャート
【図６】情報コードデータの送信および受信の様子を概略的に示す図
【図７】図２相当図
【図８】情報コードデータを受信する場合の制御内容を示すフローチャート
【図９】本発明の第２実施例を示す図２相当図
【図１０】本発明の第３実施例を示す図２相当図
【符号の説明】
図面中、１１はアダプタ、１３は電話機本体、１５はハンドセット（送話音声入力機器、受話音声出力機器）、１７はスキャナ（情報コード読取装置）、１９はパーソナルコンピュータ（情報コード出力装置）、２１は送話音声入力端子、２２は送信側スイッチ（送信側切替手段）、２３は情報コードデータ入力端子、２４は送信信号出力端子、２５は受信信号入力端子、２６は受信側スイッチ（受信側切替手段）、２７は受話音声出力端子、２８は情報コードデータ出力端子、３０は検出回路（受信信号検出手段）、３１は制御回路（情報コードデータ検出手段）、４２はアダプタ、４３は携帯電話機（電話機本体）、４４はイヤホンマイク（送話音声入力機器、受話音声出力機器）、５１はアダプタ、５３は電話機本体、５５はハンドセット（送話音声入力機器、受話音声出力機器）、５７はパーソナルコンピュータ（情報コード出力装置）、５９はスキャナ（情報コード読取装置）、８２はアダプタ、８３は携帯電話機（電話機本体）、８４はイヤホンマイク（送話音声入力機器、受話音声出力機器）、８５はアダプタ、８６はノート型のパーソナルコンピュータ（情報コード出力装置）、８７はカードスロットである。
【図１】
0004193338.tif 000002
【図２】
0004193338.tif 000003
【図３】
0004193338.tif 000004
【図４】
0004193338.tif 000005
【図５】
0004193338.tif 000006
【図６】
0004193338.tif 000007
【図７】
0004193338.tif 000008
【図８】
0004193338.tif 000009
【図９】
0004193338.tif 000010
【図１０】
0004193338.tif 000011